(57)【要約】【課題】  本発明は骨組の支持壁１４に固定された骨組取付部と、ジョイント機構によって上部と接続されたドア板取付部２０とを備えた、家具の一部の骨組と蝶番式に取付けられたドア板１２用のマルチリンクヒンジ１０に関する。  【解決手段】  支持壁の取付けは、骨組の支持壁へ固定され且つドア板取付部に連結された取付板１８上に伸長された支持アームが配列され、ドア板１２の背面の奥部にヒンジカップが取付けられ、ジョイント機構により、ジョイントアーム２２；２４が夫々回動可能な取付け部の一つへと接続されていることによって実現される。  少なくともドア板取付け部２０の開閉動作におけるサイドジョイントアームの回動動作の固定部において、減衰機構は支持壁上でヒンジ部の脇、例えば骨組取付け部１６又は取付け板１８とジョイントアーム２４の一つ、において動作する。
2005530064.tif 000002
【特許請求の範囲】
【請求項１】
ユニバーサルジョイント機構が、中央領域で鋏のように相互に回動可能であって、各一方が一方の端部において一方の取付部（１６；２０）の固定軸の周りに回動可能であり且つ各々の他端はヒンジの回転軸に直交する平面内に伸びている所定の空間曲線に沿って位置が可変となるように、各々の他方の前記取付部（２０；１６）に取付けられた二つのジョイントアーム（２２；２４）を有しており、骨組の支持壁上に配置され且つその上に細長い支持アームとして構成された前記骨組取付部（１６）が前記ユニバーサルジョイント機構と連結されていて、ドア板取付部（２０）がヒンジカップとして構成されている、取付板（１８）を備えた家具の一部の骨組におけるドア板（１２）の関節結合用ユニバーサルジョイントヒンジ（１０）において、
前記ドア板取付部（２０）上又は内部の固定軸周りに回動可能なように取付けられた前記ジョイントアーム（２４）は、骨組の内側の前記骨組取付部（１６）の端部領域上又は内部で、固定軸（ベアリングジャーナル３４）の周りに回動可能な前記骨組取付部（１６）へ連結された反対側の端部領域に取付けられており、
略中央において鋏のように回動する、前記骨組取付部（１６）上に回動可能に取付けられた領域と前記ジョイントアーム（２２；２４）に支持された領域との間に配置された前記ジョイントアーム（２４）の部分は、他方に対して所定の量を長手方向に変位可能な二つのジョイントアーム部分（２４ａ；２４ｂ）からなり、
少なくとも他方に対しジョイントアーム部分の移動動作の一部の間に効果的な制動機構が二つのジョイントアーム部分（２４ａ；２４ｂ）の間に配置されていることを特徴とするユニバーサルジョイントヒンジ。
【請求項２】
相対変位可能の前記ジョイントアーム部分（２４ａ；２４ｂ）が入れ子式に嵌合するように構成されていることを特徴とする請求項１に記載のユニバーサルジョイントヒンジ。
【請求項３】
一方の前記ジョイントアーム部分（２４ｂ）が、他方の前記ジョイントアーム部分を形成するピストンロッドに対して、長手方向に変位可能なように配置された細長いシリンダーによって形成されていることを特徴とする請求項１に記載のユニバーサルジョイントヒンジ。
【請求項４】
前記ピストンロッド（２４ａ）は、鋏型に回動可能に連結された中央領域上で、他の前記ジョイントアーム（２２）と一体的に接続されており、前記ピストンロッド（２４ａ）に対して長手方向に変位可能なように配置された前記シリンダー（２４ｂ）は、前記ピストンロッド（２４ａ）の挿入位置から離れた側の端部と関節結合するため、前記骨組取付部（１６）上で回動可能であることを特徴とする請求項３に記載のユニバーサルジョイントヒンジ。
【請求項５】
前記骨組取付部（１６）に関節結合された前記シリンダー（２４ｂ）端部は閉じられていることを特徴とする請求項４に記載のユニバーサルジョイントヒンジ。
【請求項６】
前記シリンダー（２４ｂ）の内径とほぼ等しい径を有するピストンが前記ピストンロッド（２４ａ）の自由端に取付けられており、シリンダーの内部はピストンにより区切られた二つの作業空間に分割されていてその作業空間の容量は前記ピストンロッド（２４ａ）と前記シリンダー（２４ｂ）の相対変位により逆方向に変化し、内部には流動性制動媒体が封入されていることを特徴とする請求項３乃至５のいずれかに記載のユニバーサルジョイントヒンジ。
【請求項７】
前記シリンダー（２４ｂ）は、鋏型に回動可能に連結された中央領域上で、他の前記ジョイントアーム（２２）と一体的に接続されており、前記シリンダー（２４ｂ）に対して長手方向に変位可能なように配置された前記ピストンロッド（２４ａ）は、前記シリンダー（２４ｂ）の挿入口とは反対側の自由端で、前記骨組取付部（１６）上で回動可能に関節結合されていることを特徴とする請求項３に記載のユニバーサルジョイントヒンジ。
【請求項８】
前記シリンダー（２４ｂ）と前記ピストン（２４ａ）の整列された長手方向の中心軸が、ヒンジの回転軸に対して直交するように延びた前記ヒンジ（１０）の長手方向の中央平面内にあることを特徴とする請求項３乃至７のいずれかに記載のユニバーサルジョイントヒンジ。
【請求項９】
前記シリンダー（２４ｂ）と前記ピストン（２４ａ）の整列された長手方向の中心軸が、ヒンジ（１０）の長手方向の中央平面から側方へずれていて且つ平行に配置されていることを特徴とする請求項３又は４に記載のユニバーサルジョイントヒンジ。
【請求項１０】
ヒンジの長手方向中央平面と対向する側方位置へ平行してずれている第二の平面内に、第二の前記シリンダー（２４ｂ）と第二の前記ピストンロッド（２４ａ）の整列された長手方向の中心軸が配置されていることを特徴とする請求項９に記載のユニバーサルジョイントヒンジ。
【発明の詳細な説明】
【技術分野】
【０００１】
本発明は、ユニバーサルジョイント機構が、中央領域で鋏のように相互に回動可能であって、各一方が一方の端部において一方の取付部の固定軸の周りに回動可能であり且つ各々の他端はヒンジの回転軸に直交する平面内に伸びている所定の空間曲線に沿って位置が可変となるように、各々の他方の取付部に取付けられた二つのジョイントアームを有しており、骨組の支持壁上に配置され且つその上に細長い支持アームとして構成された骨組取付部が前記ユニバーサルジョイント機構と連結されていて、ドア板取付部がヒンジカップとして構成されている、取付板を備えた家具の一部の骨組におけるドア板の関節結合用ユニバーサルジョイントヒンジに関する。
【背景技術】
【０００２】
既知のユニバーサルジョイントヒンジでは、取付部の一つに直接回動可能なように接続されたジョイントアームの端部と対向して位置するジョイントアームの端部は、間に配置された連結リンクを介することにより各々間接的にその位置において可変となるように接続されているか、一方がジョイントアームの端部に他方が接続された取付部に回動可能に関節結合されているか、その代わりに少なくとも骨組取付部上の位置で可変となるようにジョイントアームが接続された揺動する軸状のすべり溝を介している。このような場合、そのユニバーサルジョイントヒンジは異なる設計のラッチボルト機構とともに供することができ、このようなユニバーサルジョイントヒンジとともに家具の一部の骨組上にドア板が固定されたときに閉じられ、ドア板が閉じ位置に近づいたときには、ドアが死点を越えた後に閉じ位置へとドア板が閉まり、この位置でそれが保持される。
【特許文献１】ＤＥ  ２５  ５２  ７２９  Ｃ２
【発明の開示】
【発明が解決しようとする課題】
【０００３】
骨組のドア板を閉じ位置へと閉じる際のショック状の衝撃は、特にヒンジリンクのベアリングポイントに、急激な圧力を加える。また、ドア板を勢い良く開いたときに、食器棚に触れている人間によって故意に減速しなければ、完全に開いた位置に到達したときにこのようなショック状の応力がヒンジに生じ、それはドア板の重心に固定されるべきドア板の動的慣性力の比較的大きなレバーアームにより、ジョイント機構のリンクの有効レバーアームに比べてかなりの大きさに達し得る。
【０００４】
本発明の目的は、それ故、ドア板が少なくともその端の位置へと到達する時に、少なくとも破損の原因となる程度に生じる衝撃応力を緩和する制動効果を示す、一体化された制動機構を備えたユニバーサルジョイントヒンジを提供することである。
【課題を解決するための手段】
【０００５】
冒頭において言及した既知のジョイントヒンジから出発し、上記の目的は、本発明によれば、ドア板取付部上又は内部の固定軸周りに回動可能なように取付けられたジョイントアームは、骨組の内側の骨組取付部の端部領域上又は内部で、固定軸の周りに回動可能な骨組取付部へ連結された反対側の端部領域に取付けられており、略中央において鋏のように回動する、骨組取付部上に回動可能に取付けられた領域とジョイントアームに支持された領域との間に配置されたジョイントアームの部分は、他方に対して所定の量を長手方向に変位可能な二つのジョイントアーム部分からなり、少なくとも他方に対しジョイントアーム部分の移動動作の一部の間に効果的な制動機構が二つのジョイントアーム部分の間に配置されている、ことにより達成される。本発明による骨組取付部上に可変となるように取付けられたジョイントアーム／レバーは、他方に対して長手方向に変位可能な二つのジョイントアーム部分に分割されているので、レバーアームの有効レバー長さは開閉動作の間に変化し、そのため、先行技術のような連結リンクの介在や揺動する軸状のすべり溝の介することによる連結を必要としない。ヒンジの回動時における二つのジョイントアーム部分の相対変位のため、それらのジョイントアーム部分の間における制動機構の配置は都合が良い。
【発明の効果】
【０００６】
この場合、相対変位可能にあるジョイントアーム部分は入れ子式に嵌合するように構成されることが好ましい。
【０００７】
この場合、一方のジョイントアーム部分が、他方のジョイントアーム部分を形成するピストンロッドに対して、長手方向に変位可能なように配置された細長いシリンダーによって形成されていれば、好ましい。
【０００８】
このピストンロッドは鋏型に回動可能に連結された中央領域上で他のジョイントアームへ一体的に接続されていることが好ましい。ピストンロッドに対して長手方向に変位可能なように配置されたシリンダーは、ピストンロッドの挿入位置から離れた側の端部と関節結合するため、骨組取付部上で回動可能である。
【０００９】
好ましくは、骨組取付部に関節結合された端部は閉じられていて、シリンダーの内径とほぼ等しい径を有するピストンをピストンロッドの自由端に取付けることが可能であり、シリンダーの内部はピストンにより区切られた二つの作業空間に分割されていてその作業空間の容量はピストンロッドとシリンダーの相対変位により逆方向に変化し、内部に流動性制動媒体が封入されている。気体媒体、好ましくは大気も、流動的な粘性媒体もまた制動媒体として考慮され得る。制動効果は、縮小する作業空間から拡大する作業空間への制動媒体の絞り部からの溢出により達成される。
【発明を実施するための最良の形態】
【００１０】
以下の図面に関連した実施例の記載により本発明を詳細に説明する。
【００１１】
図１は、ドア板の閉じ位置における、本発明による方法によって構成されたユニバーサルジョイントヒンジと、食器棚の骨組の支持壁におけるドア板との関節結合を示す側面図である。
【００１２】
図２は、図１で示されたドア板が、完全に開いた位置に相当する側面図である。
【００１３】
図３は、図２を矢印３の方向から見た平面図である。
【００１４】
図４は、図２及び３において示されたドア板の開き位置における、本発明によるヒンジの斜視図を示したものである。
【００１５】
図５は、図３に示したものに相当する、本発明によるユニバーサルジョイントヒンジの変形例を示す平面図である。
【００１６】
図６は、本発明によるユニバーサルジョイントヒンジのさらなる第三の変形例を示す平面図である。
【００１７】
全体が１０によって識別され、描き示された本発明によるユニバーサルジョイントヒンジは、家具の一部の骨組の支持壁１４におけるドア板１２を関節結合することに有益である。ヒンジの骨組取付部１６は取付板１８によって通常の方法で支持壁１４に固定される。ドア板取付部２０は、ドア板１２の背面上の奥で固定され得るヒンジカップの形態と共通で等しい形態を有する。
【００１８】
骨組取付部とドア板取付部２０を回動可能に連結するユニバーサルジョイント機構は、ヒンジピン２６によってそれらの中央部において他方と回動可能に接続されている二つのジョイントアーム２２及び２４によって形成される。ジョイントアーム２２はベアリングジャーナル２８により骨組取付部１６に回動可能に関節結合されていて、ジョイントアーム２４は図示されていないベアリングジャーナルによりドア板取付部２０に回動可能に関節結合されている。ドア板取付部２０に回動可能なように取付けられ、円軌道上にジョイントアーム２２の端部を誘導する連結リンク３２は、ジョイントアーム２２の揺動する他方の端部へと連結される。
【００１９】
ジョイントアームの第二の端部はベアリングジャーナル３４によって骨組取付部１６に直接回動可能となるように間接結合されている。ヒンジピン２６とベアリングジャーナル３４との間に位置するジョイントアーム２４の一部−既知のユニバーサルジョイントヒンジとは異なる−は、二つのジョイントアーム部分２４ａと２４ｂからなり、ヒンジピン２６によってジョイントアーム２２に回動可能に連結されたジョイントアーム部分２４ａは、シリンダーとして構成されたジョイントアーム部分２４ｂの内部で長手方向に変位可能となるように嵌合するピストンロッドとして構成されていて、シリンダー内部のそのピストンロッドの端部において、ピストン−図示していない−は、シリンダー内のピストンのすべり溝によって確実に挿入され、そのピストンによりシリンダー内には二つに区切られた大きさの可変な作業空間、実際には本発明により提供される制動配置による制動空間が形成される。
【００２０】
制動媒体として気体、たとえば大気が用いられた場合、制動機能は縮小する作業空間から拡大する作業空間へとそれらの作業空間に封入された空気が絞り部からの溢出することによって実施される。この場合、シリンダー壁とピストンの周囲との間の、シリンダー内部におけるピストンの対応する通路によって、大気の溢出は実行することができる。もし、ピストンの周面内部に溝状のくぼみやピストン内部に対応し目盛調整された通し穴が必要であれば、絞り部を形成することもできる。気体媒体の代わりに好ましい粘性の流体制動媒体を用いても良く、例えば制動媒体としてダンパーオイルを用いても良い。このような場合、ピストンロッド２４ａがシリンダー２４ｂへ挿入する領域は制動媒体が漏れ出しを防ぐことを考慮して密閉しなければならない。
【００２１】
図５及び６おける本発明により構成されたユニバーサルジョイントヒンジ１０’及び１０’’は、図１〜４において図示されたユニバーサルジョイントヒンジ１０の変形として示されたものであり、これらのユニバーサルジョイントヒンジは構成及び機能において基本的にユニバーサルジョイントヒンジ１０と一致しており、ユニバーサルジョイントヒンジ１０’においてのみシリンダー２４ｂとその内部で変位可能なピストンロッド２４ａはヒンジの長手方向の中央平面におけるそれらの位置から側面方向に並置されるように配置され、それゆえ、例えば取付けや調節の際に骨組取付部１６の内部を上方からアクセスしやすい。
【００２２】
さらに他の変形されたユニバーサルジョイントヒンジ１０’’では、一対のシリンダー２４ｂとピストン２４ａが、各々ヒンジ１０’’の長手方向の中央平面の脇に対向するように配されている。
【００２３】
本発明に属する着想の範囲内において予測される提示した実施例をさらに変更や変形も可能である。それゆえ、提示された例よるシリンダー２４ｂとピストン２４ａの配置も、ピストンロッド２４ａの自由端は骨組の内側の骨組取付部１６の端部において回動可能に関節結合させ、これに応じてピストンロッドから離れたシリンダー２４ｂの端部は、ジョイントアーム２２とともに、鋏のように回動可能に連結されたユニバーサルジョイント機構の中央領域へ一体的に接続されるといった方法に置き換えることも可能である。
【図面の簡単な説明】
【００２４】
【図１】ドア板の閉じ位置における、本発明による方法によって構成されたユニバーサルジョイントヒンジと、食器棚の骨組の支持壁におけるドア板との関節結合を示す側面図である。
【図２】図１で示されたドア板が、完全に開いた位置に相当する側面図である。
【図３】図２を矢印３の方向から見た平面図である。
【図４】図２及び３において示されたドア板の開き位置における、本発明によるヒンジの斜視図を示したものである。
【図５】図３に示したものに相当する、本発明によるユニバーサルジョイントヒンジの変形例を示す平面図である。
【図６】本発明によるユニバーサルジョイントヒンジのさらなる第三の変形例を示す平面図である。
【符号の説明】
【００２５】
１０，１０’，１０’’          ユニバーサルジョイントヒンジ
１２          ドア板
１４          支持壁
１６          骨組取付部
１８          取付板
２０          ドア板取付部
２２，２４    ジョイントアーム
２４ａ        ジョイントアーム部分（ピストンロッド）
２４ｂ        ジョイントアーム部分（シリンダー）
２６          ヒンジピン
２８，３４    ベアリングジャーナル
３２          連結リンク
【図７】
2005530064.tif 000003
【図１】
2005530064.tif 000004
【図２】
2005530064.tif 000005
【図３】
2005530064.tif 000006
【図４】
2005530064.tif 000007
【図５】
2005530064.tif 000008
【図６】
2005530064.tif 000009
【国際調査報告】
2005530064.tif 000010
2005530064.tif 000011
2005530064.tif 000012
2005530064.tif 000013